(57)【要約】      （修正有）【課題】どの様な位置にテレビの受光部が設けられていたとしても容易に所望の位置へと導光できる導光体を提供する。【解決手段】導光棒２０の出射側端部２０２の近傍は、裏面側が側面側に向かってテーパ状に傾斜した傾斜面２３となっている。出射側端部２０２の平面に向かって垂直に進んだ赤外線は、傾斜面２３に反射する。傾斜面２３に反射した赤外線は、導光棒２０の側面で屈折して出射され、出射側端部２０２側に拡がって出射されることになる。これにより、バースピーカでは、筐体１０の幅以上に広い範囲にわたって赤外線を出射させることができる。【選択図】図３
2014048415.tif 000002
【特許請求の範囲】
【請求項１】
長尺形状の導光部を備えた導光体であって、
前記導光部の長手方向の第１の端部に設けられ、光を入射する入射部と、
前記導光部が導く光を長手方向に沿った側面から外部へ出射させる第１の出射部と、
前記導光部の長手方向の第２の端部側に設けられ、当該第２の端部に向かって導かれる光を前記側面側に出射させる第２の出射部と、
を備えたことを特徴とする導光体。
【請求項２】
前記導光部のうち、前記第２の出射部が設けられた箇所の、前記側面と反対側の面は、前記側面に向かってテーパ状に傾斜していることを特徴とする請求項１に記載の導光体。
【請求項３】
前記側面と反対側の面は、前記側面と異なる方向に向かってさらにテーパ状に傾斜していることを特徴とする請求項２に記載の導光体。
【請求項４】
前記導光部は、前記第１の端部側が曲げられた屈曲部を有し、
当該屈曲部は、前記側面側に傾斜平面が設けられたことを特徴とする請求項１乃至請求項３のいずれかに記載の導光体。
【請求項５】
前記第１の出射部は、前記長手方向に沿って光の入射位置から遠ざかるにつれて密集度を高くして形成された反射材が形成されていることを特徴とする請求項１乃至請求項４のいずれかに記載の導光体。
【請求項６】
筐体と、
該筐体の第１面に設けられ、外部からの光信号を受信する光信号受信手段と、
前記光信号受信手段が受信した光信号に応じた光を発光させる発光手段と、
を備え、
請求項１乃至請求項５のいずれかに記載の導光体が、前記筐体の第１面とは異なる第２面に設けられ、
前記入射部は、前記発光手段が発光した光が入射されることを特徴とする中継装置。
【請求項７】
請求項６に記載の中継装置と、
外部から音声信号を受信する音声信号受信手段と、
該音声信号受信手段が受信した音声信号を音声として出力する音声出力手段と、
を備えたことを特徴とするスピーカ装置。
【発明の詳細な説明】
【技術分野】
【０００１】
この発明は、入射した光、特に赤外線信号を導光し、入射位置とは異なる位置から出射する導光体に関する。
【背景技術】
【０００２】
近年、一般家庭においても、臨場感のある音響を再生するために、テレビ又はプレーヤ等のＡＶ（Audio Visual）機器にスピーカが接続されることが多くなっている。このようなスピーカとして、これまでに、テレビスタンド前方に設置して使用するバースピーカと呼ばれるものが提案されている（特許文献１を参照）。バースピーカはバー状の一つの筐体に複数のスピーカが配列されて構成されている。しかしながら、テレビの下部にはリモートコントローラ（以下、リモコンという）から出力される赤外線信号を受光する受光部が設けられていることが多く、バースピーカを設置した場合、受光部がバースピーカにより隠れてしまい、テレビがリモコンからの赤外線信号を受光できなくなるといった問題があった。
【０００３】
そこで、例えば特許文献２のように、リモコンとテレビの間にリモコンの操作信号を中継する中継機器を介在させることが考えられる。特許文献２の中継装置は、ユーザがリモコンを操作して操作信号を送信すると、リモコンから受信した操作信号をテレビに送信する。
【先行技術文献】
【特許文献】
【０００４】
【特許文献１】特開２００９−２６７９５６号公報
【特許文献２】特開平０９−２７５５９１号公報
【発明の概要】
【発明が解決しようとする課題】
【０００５】
しかし、テレビの受光部は全てのテレビにおいて同じ位置に設けられているわけではない。したがって、特許文献２のような中継装置を設置するとしても、テレビの幅方向に対する設置位置の変更が容易ではなく、どの位置に設置するのかが課題となる。
【０００６】
そこで、この発明は、どの様な位置にテレビの受光部が設けられていたとしても容易に所望の位置へと導光できる導光体を提供することを目的とする。
【課題を解決するための手段】
【０００７】
本発明の導光体は、長尺形状の導光部を備えた導光体であって、前記導光部の長手方向の第１の端部に設けられ、光を入射する入射部と、前記導光部が導く光を長手方向に沿った側面から外部へ出射させる第１の出射部と、前記導光部の長手方向の第２の端部側に設けられ、当該第２の端部に向かって導かれる光を前記側面側に出射させる第２の出射部と、を備えたことを特徴とする。
【０００８】
このように、本発明の導光体では、入射部（第１の端部側）から入射された光は、第１の出射部によって、長尺状の導光部の長手方向に沿った側面から出射される。また、本発明の導光体では、第２の出射部によって、第２の端部側に向かう赤外線も側面側に出射させるため、より広い範囲に赤外線を出射させることになる。よって、例えばテレビの赤外線の受光部前方にスピーカ装置を設置した場合であっても、導光部の長手方向がテレビの幅方向と一致するように当該導光体を設置すれば、テレビのどの位置に受光部が存在する場合でも、赤外線をテレビの受光部へ到達させることができる。
【０００９】
なお、前記導光部のうち、前記第２の出射部が設けられた箇所の、前記側面と反対側の裏面は、前記側面に向かってテーパ状に傾斜している構造であることが好ましい。このテーパ状に傾斜した裏面に、第２の端部側に向かう赤外線が反射し、側面側に出射される。また、テーパ角を５０度未満程度に調整することで、導光部の長手方向の長さ以上に、広い範囲にわたって赤外線を出射させることもできる。
【００１０】
また、前記裏面は、前記側面と異なる方向に向かってさらにテーパ状に傾斜していることが好ましい。この場合、側面に垂直な方向以外にも赤外線を出射させることができるため、例えばテレビの受光部が低い位置に存在する場合であっても、赤外線をテレビの受光部へ到達させることができる。
【００１１】
また、前記導光部は、前記第１の端部側が曲げられた屈曲部を有し、当該屈曲部は、前記側面側に傾斜平面が設けられた態様とすることも可能である。これにより、導光部の長尺方向に垂直な方向から光を入射させることができ、導光体を設置する装置の筐体内部側にＬＥＤ等の発光部を設けることができる。したがって、発光部が筐体外部側に出っ張ることがなく、外観上すっきりとする。
【００１２】
また、第１の出射部は、前記長手方向に沿って光の入射位置から遠ざかるにつれて密集度を高くして形成された反射材が形成されていることが好ましい。
【００１３】
光の信号強度は、光の入射位置から遠ざかるにつれて弱くなるため、入射側から離れるにしたがって反射材を多くすることで、導光部材の側面から出射される光の光強度を、長手方向に沿って一様にすることができる。
【００１４】
反射材は、光散乱反射性を有する反射パターンが印刷されたものや、平面が凹凸状に表面処理されたものであってもよい。あるいは、導光部の材料であるアクリル樹脂等に不純物を混在させることでも反射材とすることが可能である。
【発明の効果】
【００１５】
本発明によれば、どの様な位置にテレビの受光部が設けられていたとしても容易に所望の位置へと導光できる。
【図面の簡単な説明】
【００１６】
【図１】スピーカ装置の設置状態を示す図である。
【図２】スピーカ装置のハードウェア構成を示すブロック図である。
【図３】図３（Ａ）はスピーカ装置の筐体の背面図であり、図３（Ｂ）は図３（Ａ）のＩＩ−ＩＩ線における断面図であり、図３（Ｃ）は図３（Ａ）のＩＩＩ−ＩＩＩ線における断面図である。
【図４】導光棒から出射される赤外線の光強度を示す模式図である。
【図５】傾斜面２３の有無による赤外線の出射態様の違いを示した図である。
【図６】バースピーカとテレビを上面から見た図である。
【図７】傾斜面２３における赤外線の出射態様を断面で示した図である。
【図８】屈曲部を有する導光棒の例を示した図である。
【図９】応用例１に係るスピーカ装置の断面図を示した図である。
【図１０】応用例２に係るスピーカ装置の断面図を示した図である。
【図１１】傾斜面２３の断面図の例を示した図である。
【発明を実施するための形態】
【００１７】
以下、本発明の導光体を備えた中継装置、および当該中継装置を備えたスピーカ装置の実施形態について説明する。
【００１８】
本実施形態では、テレビの前方に設置して使用するバースピーカ（スピーカ装置）を示す。図１（Ａ）はバースピーカ１をテレビ１００の前方に設置した状態の斜視図であり、図１（Ｂ）は側面図である。
【００１９】
バースピーカ１は、テレビ１００の前方に設置される。より具体的には、バースピーカ１は、テレビ１００のテレビスタンド前方であって、テレビ１００の表示画面１０１と高さ方向において被らないように設置される。
【００２０】
テレビ１００は、操作信号としての赤外線信号（以下、赤外線という）を受光する受光部１０２を備えている。受光部１０２が受光する赤外線は、テレビ１００用のリモコン２００から送信される。受光部１０２は、表示画面１０１の下方に設けられている。本実施形態では、受光部１０２が設けられたパネルに対向するようにバースピーカ１が設けられている。このため、受光部１０２は、バースピーカ１により遮られ、リモコン３００からの赤外線を直接受光することができない。
【００２１】
バースピーカ１は、一方向に長い直方体形状の筐体１０を有している。バースピーカ１は、筐体１０の長手方向がテレビ１００の幅方向と一致し、かつ、筐体１０の一面（以下、この面を背面という）がテレビ１００側となるようにテレビ１００の前方に設置されている。バースピーカ１は、複数のスピーカＳＰ１，ＳＰ２，ＳＰ３，ＳＰ４を備えている。スピーカＳＰ１，ＳＰ２，ＳＰ３，ＳＰ４は、筐体１０の背面に平行な面（以下、前面という）の長手方向に沿って設けられている。バースピーカ１は、図示しない配線によりテレビ１００と接続され、テレビ１００から音声信号を受信し、スピーカＳＰ１，ＳＰ２，ＳＰ３，ＳＰ４により前方へ放音する。
【００２２】
バースピーカ１は、筐体１０の前面における幅方向の略中央部であって、高さ方向の下部に、リモコン２００からの赤外線を受光する受光部２を備えている。ただし、受光部２の位置は、この例に限るものではなく、例えば高さ方向の上部に設けられていてもよい。バースピーカ１は、図１（Ｂ）の点線矢印で示すように、受光部２からテレビ１００に向けられたリモコン２００からの赤外線を受光する。
【００２３】
バースピーカ１は、受光部２から赤外線を受光した場合、図１（Ｂ）の実線矢印に示すように筐体１０の背面からテレビ１００側へ、受光した赤外線を出力する。このとき、バースピーカ１は、幅方向に沿って線状に赤外線を出力する。これにより、ユーザがテレビ１００の受光部１０２の幅方向における位置を把握せずにバースピーカ１を設置した場合であっても、バースピーカ１は、受光部１０２に対し赤外線を確実に受光させることができる。
【００２４】
図２はバースピーカ１のハードウェア構成を示すブロック図である。バースピーカ１は、受光部２、制御部３、記憶部４、赤外線発光部５、音声受信部（音声信号受信手段）６およびスピーカＳＰ１〜ＳＰ４等を備えている。
【００２５】
制御部３は、記憶部４に記憶されたプログラムを実行することでバースピーカ１の動作を制御する。記憶部４は、制御部３が実行するプログラムおよび各種必要なデータを記憶する。
【００２６】
赤外線発光部５は、受光部２が受光したリモコン２００からの赤外線と同じ情報を有する赤外線を再発光する。例えば、リモコン２００がテレビ１００の音量を変更させる制御信号の赤外線を発光し、バースピーカ１がその赤外線を受光すると、赤外線発光部５は、テレビ１００の音量を変更させる制御信号の赤外線を発光する。赤外線発光部５は、筐体１０の背面側に設けられており、赤外線を発光すると、後述する導光棒によりテレビ１００側へ出射されるようになっている。
【００２７】
音声受信部６は、テレビ１００から音声信号を受信する。音声受信部６が受信した音声信号は、スピーカＳＰ〜ＳＰ４により前方へ放音される。
【００２８】
図３（Ａ）はバースピーカ１の筐体１０の背面図、図３（Ｂ）は図３（Ａ）のＩＩ−ＩＩ線における断面図、図３（Ｃ）は図３（Ａ）のＩＩＩ−ＩＩＩ線における断面図を示す。
【００２９】
バースピーカ１の筐体１０の背面には、図３（Ａ）に示すように、バースピーカ１の幅方向に長い矩形状の開口部を有する凹部１２が設けられている。凹部１２は、筐体１０の背面に平行な底面（開口に平行な面）と、幅方向に沿った側面とを有している。凹部１２の底面には、幅方向に沿って所定の間隔で複数の凸部１３が形成されている。凹部１２の側面は、図３（Ｃ）に示すように、凹部１２の底面近傍では底面に垂直となっており、開口部近傍では開口に向かってテーパ状に拡がっている。以下では、テーパ状に拡がった面を傾斜面１２Ａという。
【００３０】
バースピーカ１は、凹部１２に収容された導光棒２０を備えている。導光棒２０は、例えばアクリル樹脂から形成されており、凹部１２の長手方向に沿った長尺状の導光部材である。導光棒２０の第１の端部（以下、入射側端部２０１と称する。）からは、赤外線発光部５が発光した赤外線が入射される。当該入射された赤外線は、第２の端部（以下、出射側端部２０２と称する。）へ導かれる。
【００３１】
導光棒２０は、図３（Ｃ）に示すように、長手方向に直交する方向の断面が矩形状になっている。ただし、断面形状は、矩形状に限らず、例えば半円形状、三角形状、あるいは多角形状であってもよい。
【００３２】
導光棒２０は、凸部１３に載置されることで、図３（Ｂ）に示すように、導光棒２０の裏面と凹部１２の底面との間には空間が形成されている。
【００３３】
なお、凸部１３の高さは、凸部１３に載置される導光棒２０が、凹部１２の底面と接しなければよく、特に限定されない。また、導光棒２０と接する凸部１３の面の大きさは、特に限定されないが、導光棒２０との接面積を可能な限り小さくできる大きさが好ましい。さらに、凹部１２の底面に設ける凸部１３の数は適宜変更可能である。
【００３４】
赤外線発光部５から発光された赤外線は、導光棒２０の入射側端部から出射側端部へ向かって導光棒２０内で全反射しながら進む。このとき、上述のように、導光棒２０は凸部１３に載置されているため、導光棒２０の平面と凹部１２の底面との間には空隙が形成され、導光棒２０の平面と凹部１２の底面との接面積が小さくなるように構成されている。これにより、導光棒２０と凹部１２との接面で赤外線が屈折して、予定外に導光棒２０から赤外線が出射されることを抑制するようになっている。
【００３５】
また、導光棒２０の裏面には、反射パターン２１が複数個所に設けられている。反射パターン２１は、光散乱反射性を有し、かつ、印刷されていることが好ましいが、導光棒２０の平面が凹凸状に表面処理されたものであってもよい。導光棒２０を全反射して進む赤外線は、反射パターン２１に当たると乱反射し、導光棒２０の側面（上記裏面と反対側の面）から放射状に拡がって出射される。これにより、反射パターン２１が設けられた箇所は、第１の出射部として機能する。また、アクリル樹脂等に不純物を混在させて導光棒２０を形成することで、赤外線が導光棒２０の側面から出射されるようにしてもよい。
【００３６】
このとき、凹部１２の開口近傍は傾斜面１２Ａとなっているため、側面から拡がって出射される赤外線は、凹部１２の側面で遮られない。そのため、導光棒２０から赤外線を放射状に出射した場合、筐体１０の背面の法線方向だけでなく、高さ方向に出射させることができる。これにより、導光棒２０が、テレビ１００の受光部１０２と対向せず、高さ方向に位置ズレがある場合でも、受光部１０２は、導光棒２０からの赤外線を受光することができる。
【００３７】
反射パターン２１の配置パターンは、例えば、以下のようにして決定される。図４は、導光棒２０の側面から出射される赤外線の光強度を示す模式図である。図４では、横軸を長手方向における入射側端部からの距離ｘとし、縦軸を赤外線の光強度Ｓとしている。
【００３８】
図４における点線は、反射パターン２１を形成していない場合の距離ｘにおける赤外線の光強度を示している。この場合、入射側端部２０１から入射された赤外線の信号強度は、入射側端部２０１から出射側端部２０２に向かって指数関数的に小さくなっている。テレビ１００の受光部１０２が幅方向においてどの位置にあっても確実に赤外線を受光できるように、導光棒２０の側面から出射される赤外線の光強度は、図４の実線で示すように、入射側端部２０１からの距離ｘに関係なく、常に一定であることが好ましい。
【００３９】
そこで、反射パターン２１の密集度Ｍと、入射側端部からの距離ｘとの関係を、指数関数式Ｍ＝ＡｅＢｘとして考える。導光棒２０の側面から出射される赤外線の光強度Ｓは、反射パターン２１の密集度Ｍが高い方が強い。前記式の係数Ａを小さくすれば、距離ｘが小さいときには密集度Ｍ、すなわち光強度Ｓを小さくできる。また、係数Ｂを大きくすれば、距離ｘが大きいときには密集度Ｍ、すなわち光強度Ｓを大きくできる。係数Ａ，Ｂを導光棒２０の材質又は反射パターン２１の種類に合わせて調整することで、図４の実線で示すように、距離ｘに関係なく光強度Ｓを一定値にすることができる。
【００４０】
なお、導光棒２０から出射する赤外線を距離ｘに関係なく一定にするために、反射パターン２１を離散的に形成するだけでなく、アクリル樹脂などに不純物を混在して導光棒２０を形成した場合には、混在する不純物の濃度を連続的に変化させるようにしてもよい。
【００４１】
また、導光棒２０の出射側端部２０２付近は、上述の式に関係なく、反射パターン２２を一様に形成することが好ましい。これにより、入射側端部２０１から入射され、反射パターン２１により反射することなく出射側端部２０２付近まで到達した赤外線を反射パターン２２により反射させ、導光棒２０の側面から出射させることができるため、導光棒２０に入射された赤外線発光部５からの赤外線を無駄なく導光棒２０の側面から出射させることができる。
【００４２】
さらに、導光棒２０の出射側端部２０２の近傍は、裏面側が側面側に向かってテーパ状に傾斜した傾斜面２３となっている。この傾斜面２３は、出射側端部２０２に向かって進む赤外線を反射させ、側面側に出射させる第２の出射部として機能する。この傾斜面２３には、反射パターンが形成されていない。
【００４３】
図５は、傾斜面２３の有無による赤外線の出射態様の違いを示した図である。図５（Ａ）に示すように、仮に傾斜面２３が無い場合、出射側端部２０２の平面に向かって垂直に進んだ赤外線は、そのまま出射側端部２０２から出射される。また、出射側端部２０２の近傍では、赤外線は、裏面側の反射パターン２２により反射して出射されるだけであるため、導光棒２０の幅以上に大きく拡がって出射されることはない。
【００４４】
しかし、図５（Ｂ）に示すように、傾斜面２３が存在する場合、出射側端部２０２の平面に向かって垂直に進んだ赤外線は、当該傾斜面２３に反射する。
【００４５】
例えば、赤外線が導光棒２０と空気の境界面で全反射する臨界角が５０度程度であるとすると、傾斜面２３のテーパ角θ１は、出射側端部２０２の平面に向かって垂直に進んだ赤外線を導光棒２０の側面側に反射させるように、５０度未満に設定される（この例では、θ１＝３０度程度に設定されている）。傾斜面２３に反射した赤外線は、導光棒２０の側面で屈折して出射され、出射側端部２０２側に拡がって出射されることになる。これにより、バースピーカ１では、図５（Ｃ）に示すように、筐体１０の幅以上に広い範囲にわたって赤外線を出射させることができる。
【００４６】
したがって、バースピーカ１は、図６に示すように、テレビ１００の幅がバースピーカ１の筐体の幅よりも広く、テレビ１００の受光部１０２が、筐体１０の奥行きによって隠れてしまう部分にも光を届けることができる。
【００４７】
一方、図３（Ｃ）に示すように、導光棒２０の出射側端部２０２の近傍は、裏面側がさらに、側面と異なる方向に向かってテーパ状に傾斜している。すなわち、図３（Ｃ）に示すように、導光棒２０は、上面側に向かってテーパ状に傾斜している。
【００４８】
図７（Ａ）に示すように、仮に傾斜面２３が上面側に向かってテーパ状に傾斜していない場合、傾斜面２３から出射する赤外線は、導光棒２０の側面にほぼ垂直に出射することになる。したがって、赤外線は、筐体１０の背面の法線方向だけに出射される。
【００４９】
しかし、図７（Ｂ）に示すように、傾斜面２３が上面側に向かってテーパ状に傾斜している場合、出射側端部２０２の平面に向かって垂直に進んだ赤外線は、当該上面側に傾斜した面に反射して、導光棒２０の側面でさらに屈折して出射されるため、下面側に拡がって出射されることになる。これにより、赤外線は、筐体１０の背面の法線方向だけでなく、高さ方向に出射される。よって、導光棒２０が、テレビ１００の受光部１０２と対向せず、高さ方向に位置ズレがある場合でも、受光部１０２は、導光棒２０からの赤外線を受光することができる。
【００５０】
また、図７（Ｃ）に示すように、傾斜面２３が下面側に向かってテーパ状に傾斜している場合、出射側端部２０２の平面に向かって垂直に進んだ赤外線は、当該下面側に傾斜した面に反射して、導光棒２０の側面でさらに屈折して出射されるため、上面側に拡がって出射されることになる。また、図７（Ｄ）に示すように、傾斜面２３が上面および下面側の両方に向かってテーパ状に傾斜している場合、出射側端部２０２の平面に向かって垂直に進んだ赤外線は、上面および下面側に拡がって出射されることになる。
【００５１】
なお、傾斜面２３の表面形状は、図１１（Ａ）および図１１（Ｂ）に示すように平面であってもよいし、図１１（Ｃ）および図１１（Ｄ）に示すように曲面であってもよい。
【００５２】
また、上記例においては、赤外線発光部５からの光を導光棒２０の端部から直接入射するようにしているが、導光棒２０の途中から入射させてもよいし、赤外線発光部５からの光を反射部材で反射させた後に導光棒２０へ入射させるようにしてもよい。
【００５３】
また、例えば、図８（Ａ）および図８（Ｂ）に示すような屈曲部を有する導光棒とすることも可能である。図８（Ａ）は、バースピーカの断面図（図３（Ｂ）に対応するもの）であり、図８（Ｂ）は、屈曲部の断面拡大図である。なお、図８（Ａ）および図８（Ｂ）においては、図３と共通する構成については同一の符号を付し、その説明を省略する。
【００５４】
図８（Ａ）および図８（Ｂ）に示す導光棒５０は、入射側端部５０１側が約９０度曲げられた屈曲部５１となっている。したがって、入射側端部５０１の面は、バースピーカの筐体１０Ａ側に向くことになる。この場合、赤外線発光部５は、筐体１０Ａの内部に設置され、かつ筐体１０Ａの背面方向に向かって赤外線を出力するように設置されている。
【００５５】
そして、屈曲部５１のうち、導光棒２０の側面側には、傾斜平面５２が設けられている。傾斜平面５２は、図８（Ｂ）に示すように、赤外線発光部５から出力され、入射側端部５０１から入射された赤外線を反射し、当該赤外線を長手方向に導く。ここで、傾斜平面５２の傾斜角度θ２は、４５度よりもわずかに（例えば３度程度）大きくなっている。よって、傾斜平面５２で反射した赤外線は、長手方向よりもわずかに傾いて進行するため、反射パターン２１および反射パターン２２に多くの赤外線が照射されることになり、より多くの赤外線が側面に出射されることになる。
【００５６】
なお、傾斜面２３のテーパ角θ１は、当該傾斜平面５２の傾斜角度θ２に対応して設定することが好ましい。
【００５７】
図８（Ａ）および図８（Ｂ）に示す導光棒５０によれば、筐体１０Ａの内部側に赤外線発光部５を設けることができ、赤外線発光部５が筐体背面側に出っ張ることがなく、外観上すっきりとする。
【００５８】
次に、図９は、応用例１に係るバースピーカの断面図（図３（Ｂ）に対応するもの）である。応用例１に係るバースピーカは、筐体１０Ｂの中央部分に２つの赤外線発光部５が設けられている。そして、各赤外線発光部５の出力した赤外線を導光する導光棒５０Ａおよび導光棒５０Ｂが設置されている。導光棒５０Ａおよび導光棒５０Ｂは、図８（Ａ）および図８（Ｂ）で示した導光棒５０と同じ構成および機能を有する。導光棒５０Ａおよび導光棒５０Ｂは、互いに異なる方向、すなわち筐体１０Ｂの外側に向かって赤外線を導光するように筐体１０Ｂに設置されている。
【００５９】
この場合においても、筐体１０Ｂの背面の幅方向において、どの位置にあっても一定の光強度の赤外線が出射される。また、筐体１０Ｂの左右両方において、筐体１０Ｂの幅以上に広い範囲にわたって赤外線を出射させることができる。
【００６０】
次に、図１０は、応用例２に係るバースピーカの断面図（図３（Ｂ）に対応するもの）である。応用例２に係るバースピーカは、筐体１０Ｃの左右端部付近に２つの赤外線発光部５が設けられている。そして、各赤外線発光部５の出力した赤外線を導光する導光棒５０Ａおよび導光棒５０Ｂが設置されている。ただし、この例では、導光棒５０Ａおよび導光棒５０Ｂは、図９の例に対して左右が反転して設置され、筐体１０Ｃの内側に向かって赤外線を導光するように筐体１０Ｃに設置されている。
【００６１】
この場合においても、筐体１０Ｃの背面の幅方向において、どの位置にあっても一定の光強度の赤外線が出射される。また、筐体１０Ｃの中央部分において、導光棒５０Ａおよび導光棒５０Ｂを設置しなくとも、当該中央部分の背面方向に赤外線を出射させることができる。
【符号の説明】
【００６２】
１…バースピーカ
２…受光部
３…制御部
４…記憶部
５…赤外線発光部
６…音声受信部
ＳＰ１，ＳＰ２，ＳＰ３，ＳＰ４…スピーカ
１０…筐体
１２…凹部
１２Ａ…傾斜面
１３…凸部
２０…導光棒
２１，２２…反射パターン
２３…傾斜面
１００…テレビ
１０１…表示画面
１０２…受光部
２００…リモコン
２０１…入射側端部
２０２…出射側端部
３００…リモコン
【図１】
2014048415.tif 000003
【図２】
2014048415.tif 000004
【図３】
2014048415.tif 000005
【図４】
2014048415.tif 000006
【図５】
2014048415.tif 000007
【図６】
2014048415.tif 000008
【図７】
2014048415.tif 000009
【図８】
2014048415.tif 000010
【図９】
2014048415.tif 000011
【図１０】
2014048415.tif 000012
【図１１】
2014048415.tif 000013